(57)【特許請求の範囲】
【請求項１】
複数のコンポーネントキャリアを含むシステム帯域で無線通信を行う移動端末装置であって、
ＳＲＳの送信制御情報を含み、特定のコンポーネントキャリアの下り制御チャネルに集約して割り当てられた各コンポーネントキャリアに対応する下りリンク制御情報を受信するＰＤＣＣＨ受信部と、前記ＰＤＣＣＨ受信部が受信した前記下りリンク制御情報に含まれる前記ＳＲＳの送信制御情報に基づいてＳＲＳの送信を制御するＳＲＳ送信設定部と、を有し、
前記各コンポーネントキャリアに対応する下りリンク制御情報は、コンポーネントキャリアの識別子情報が設定されたビットフィールドを含み、前記ＳＲＳの送信制御情報が前記ビットフィールドに設定されていることを特徴とする移動端末装置。
【請求項２】
リソースを割り当て可能なコンポーネントキャリア数に基づいて設定された前記ビットフィールドのフォーマット情報を受信するフォーマット通知信号受信部をさらに有し、
前記ＰＤＣＣＨ受信部は、前記フォーマット情報に基づいて前記ビットフィールドに設定された前記ＳＲＳの送信制御情報を読み出すことを特徴とする請求項１に記載の移動端末装置。
【請求項３】
前記フォーマット情報はＲＲＣシグナリングを用いて受信することを特徴とする請求項２に記載の移動端末装置。
【請求項４】
前記リソースを割り当て可能なコンポーネントキャリア数が所定の数以上である場合に、前記ＳＲＳの送信制御情報の一部を前記ＲＲＣシグナリングを用いて受信することを特徴とする請求項３に記載の移動端末装置。
【請求項５】
複数のコンポーネントキャリアを含むシステム帯域で無線通信を行う移動端末装置に対して、ＳＲＳの送信制御情報を通知して前記移動端末装置のＳＲＳの送信を制御する無線基地局装置であって、
各コンポーネントキャリアにおけるＳＲＳの送信について設定するＳＲＳ設定部と、
前記ＳＲＳ設定部で決定された情報に基づいて、ＳＲＳの送信制御情報を各コンポーネントキャリアに対応する下りリンク制御情報に設定し、前記各コンポーネントキャリアに対応する下りリンク制御情報を特定のコンポーネントキャリアの下り制御チャネルに集約して割り当てて前記移動端末装置に送信するＰＤＣＣＨ設定通知部と、を有し、
前記ＰＤＣＣＨ設定通知部は、前記各コンポーネントキャリアに対応する下りリンク制御情報にコンポーネントキャリアの識別子情報が設定されたビットフィールドと前記ＳＲＳの送信制御情報を設定することを特徴とする無線基地局装置。
【請求項６】
リソースを割り当て可能なコンポーネントキャリア数に基づいて、前記ビットフィールドのフォーマット情報を生成し、前記移動端末装置に通知するフォーマット設定部をさらに有することを特徴とする請求項５に記載の無線基地局装置。
【請求項７】
前記フォーマット設定部は、前記フォーマット情報をＲＲＣシグナリングを用いて送信することを特徴とする請求項６に記載の無線基地局装置。
【請求項８】
前記リソースを割り当て可能なコンポーネントキャリア数が所定の数以上である場合に、前記ＳＲＳの送信制御情報の一部を前記ＲＲＣシグナリングを用いて送信することを特徴とする請求項７に記載の無線基地局装置。
【請求項９】
複数のコンポーネントキャリアを含むシステム帯域で無線通信を行う移動端末装置のＳＲＳの送信を制御する参照信号送信方法であって、
前記ＳＲＳの送信制御情報を含み、特定のコンポーネントキャリアの下り制御チャネルに集約して割り当てられた各コンポーネントキャリアに対応する下りリンク制御情報を受信するステップと、
受信した前記下りリンク制御情報に含まれる前記ＳＲＳの送信制御情報に応じてＳＲＳの送信を制御するステップと、を有し、
前記各コンポーネントキャリアに対応する下りリンク制御情報がコンポーネントキャリアの識別子情報が設定されたビットフィールドを含み、前記ＳＲＳの送信制御情報が前記ビットフィールドに設定されていることを特徴とする参照信号送信方法。
【請求項１０】
リソースを割り当て可能なコンポーネントキャリア数に基づいて設定された前記ビットフィールドのフォーマット情報を受信するステップをさらに有することを特徴とする請求項９に記載の参照信号送信方法。
【請求項１１】
複数のコンポーネントキャリアを含むシステム帯域で無線通信を行う移動端末装置に対して、ＳＲＳの送信制御情報を通知して前記移動端末装置のＳＲＳの送信を制御する参照信号送信方法であって、
各コンポーネントキャリアにおけるＳＲＳの送信について判定するステップと、
前記ＳＲＳの判定情報に基づいて、ＳＲＳの送信制御情報を各コンポーネントキャリアに対応する下りリンク制御情報に設定し、前記各コンポーネントキャリアに対応する下りリンク制御情報を特定のコンポーネントキャリアの下り制御チャネルに集約して割り当てて前記移動端末装置に送信するステップと、を有し、
前記各コンポーネントキャリアに対応する下りリンク制御情報に、コンポーネントキャリアの識別子情報が設定されたビットフィールドと前記ＳＲＳの送信制御情報を設定することを特徴とする参照信号送信方法。
【請求項１２】
リソースを割り当て可能なコンポーネントキャリア数に基づいて、前記ビットフィールドのフォーマット情報を生成し、前記移動端末装置に通知するステップをさらに有することを特徴とする請求項１１に記載の参照信号送信方法。
【発明の詳細な説明】
【技術分野】
【０００１】
本発明は、参照信号送信方法、移動端末装置及び無線基地局装置に関し、特に、次世代移動通信システムにおける参照信号送信方法、移動端末装置及び無線基地局装置に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ-ＣＤＭＡ（Wideband  Code  Division  Multiple  Access）をベースとしたシステムの特徴を最大限に引き出すことが行われている。このＵＭＴＳネットワークについては、更なる高速データレート、低遅延などを目的としてロングタームエボリューション（ＬＴＥ:Long  Term  Evolution）が検討されている（例えば、非特許文献１参照）。
【０００３】
第３世代のシステムは、概して５ＭＨｚの固定帯域を用いて、下り回線で最大２Ｍｂｐｓ程度の伝送レートを実現できる。一方、ＬＴＥ方式のシステムにおいては、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（ＬＴＥ−Ａ））。例えば、ＬＴＥ−Ａにおいては、ＬＴＥ仕様の最大システム帯域である２０ＭＨｚを、１００ＭＨｚ程度まで拡張することが予定されている。
【０００４】
ＬＴＥ方式のシステム（ＬＴＥシステム）において、無線基地局装置（ＢＳ：Base  Station）は、移動端末装置（ＵＥ：User  Equipment）から送信されるチャネル品質測定用のＳＲＳ（Sounding  Reference  Signal）に基づいて上りリンクのチャネル品質を測定し、移動端末装置がデータチャネル信号（ＰＵＳＣＨ：Physical  Uplink  Shared  Channel）を送信するためのスケジューリングを行い、ＰＤＣＣＨ（Physical  Downlink  Control  Channel）を用いて指示する。Ｒｅｌｅａｓｅ  ８  ＬＴＥにおいては、ＳＲＳは、上りリンクの無線フレームを構成するサブフレームの最終シンボルに多重され、周期的に移動端末装置から無線基地局装置に送信される。
【先行技術文献】
【非特許文献】
【０００５】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００６】
しかし、ＬＴＥシステムにおいては、移動端末装置から上りリンクで送信するデータチャネル信号が存在しない場合においても、ＳＲＳが周期的に無線基地局装置に送信されている。このため、データチャネル信号の有無とは無関係にＳＲＳの送信に用いられる無線リソースが固定的に使用され、無線リソースを効率的に使用することが困難であるという問題がある。
【０００７】
図１１は、ＬＴＥシステムにおけるＳＲＳの送信方法について説明するための図である。図１１に示すように、ＬＴＥシステムにおいて、チャネル品質測定用のＳＲＳは、上りリンク（ＵＬ：Uplink）の無線フレームを構成するサブフレーム（サブフレーム＃ｎ〜＃ｎ＋９）の最終シンボルに多重され、周期的に移動端末装置ＵＥから無線基地局装置に送信される。図１１においては、ＳＲＳ送信周期を５ｍｓｅｃとしてサブフレーム＃ｎ＋１、＃ｎ＋６の最終シンボルにＳＲＳが多重された場合について示している。
【０００８】
一方、データチャネル信号は、ＰＤＣＣＨで上りリンク（ＵＬ）スケジューリンググラントの通知を受けた後、４ＴＴＩ（Transmission  Time  Interval：伝送時間間隔）後に上りリンクで送信される。ここで、サブフレームは、誤り訂正符号化（チャネル符号化）された１データ・パケットの送信時間単位であり、１ＴＴＩに等しい。このため、ＵＬスケジューリンググラントの通知を受けると、４サブフレーム後にＰＵＳＣＨが送信される。図１１においては、下りリンク（ＤＬ：Downlink）の無線フレームを構成するサブフレーム（サブフレーム＃ｍ〜＃ｍ＋９）のうち、サブフレーム＃ｍ〜＃ｍ＋２及び＃ｍ＋４でＵＬスケジューリンググラントが通知され、これらのＵＬスケジューリンググラントに応じて上りリンク（ＵＬ）のサブフレーム＃ｎ＋４〜＃ｎ＋６及び＃ｎ＋８でＰＵＳＣＨが送信される場合について示している。
【０００９】
図１１に示すように、ＳＲＳは、各サブフレームで送信されるＰＵＳＣＨの有無とは無関係に送信されることから、仮にＵＬスケジューリンググラントの通知がなく、ＰＵＳＣＨが送信されない場合においても、上りリンク（ＵＬ）で周期的に無線基地局装置に送信されることとなる。無線リソースを効率的に使用する観点からすると、無線基地局装置におけるチャネル品質測定を目的とするＳＲＳは、ＰＵＳＣＨが送信される場合に測定されることが好ましい。しかしながら、ＬＴＥシステムにおいては、ＰＵＳＣＨの有無とは無関係にＳＲＳの送信に用いられる無線リソースが固定的に使用されることから、無線リソースを効率的に使用することが困難となっている。
【００１０】
この問題を解決するために、ＬＴＥ−Ａにおいて任意のタイミングでＳＲＳの送信機会を制御する非周期ＳＲＳ（Aperiodic  SRS）を適用することが考えられる。
【００１１】
しかし、非周期ＳＲＳを適用する場合には、非周期ＳＲＳの送信タイミングを制御する情報（ＳＲＳトリガー）やフォーマット情報等を適切に設定して制御することが必要となる。例えば、非周期ＳＲＳの送信制御について、非周期ＳＲＳの送信制御に関する情報をＵＬスケジューリンググラント（ＵＬ  ｇｒａｎｔ）を用いて行う方法が考えられるが、この場合、非周期ＳＲＳの送信制御情報の追加に伴いＰＤＣＣＨのフォーマット変更が生じる場合がある。また、非周期ＳＲＳの送信制御情報の追加に伴いＰＤＣＣＨのビット数が増えることにより、移動端末装置においてブラインドデコーディング数が増加し負荷が生じるおそれがある。
【００１２】
本発明は、このような問題点に鑑みてなされたものであり、非周期ＳＲＳの送信制御を行う場合であっても、ＰＤＣＣＨに与える影響を抑制することができる参照信号送信方法、移動端末装置及び無線基地局装置を提供することを目的の一とする。
【課題を解決するための手段】
【００１３】
本発明の移動端末装置は、複数のコンポーネントキャリアを含むシステム帯域で無線通信を行う移動端末装置であって、ＳＲＳの送信制御情報を含み、特定のコンポーネントキャリアの下り制御チャネルに集約して割り当てられた各コンポーネントキャリアに対応する下りリンク制御情報を受信するＰＤＣＣＨ受信部と、ＰＤＣＣＨ受信部が受信した下りリンク制御情報に含まれるＳＲＳの送信制御情報に基づいてＳＲＳの送信を制御するＳＲＳ送信設定部とを有し、各コンポーネントキャリアに対応する下りリンク制御情報は、コンポーネントキャリアの識別子情報が設定されたビットフィールドを含み、ＳＲＳの送信制御情報がビットフィールドに設定されていることを特徴とする。
【００１４】
この構成によれば、コンポーネントキャリアの識別子情報とＳＲＳの送信制御情報を組み合わせて設定（ジョイントコーディング）することによりビットフィールドを有効に利用するため、非周期ＳＲＳの送信制御を行う場合であっても、ＰＤＣＣＨのフォーマット変更を行う必要がなく、またＰＤＣＣＨのビット数の増加を抑制し、ＰＤＣＣＨに与える影響を小さくすることができる。
【００１５】
本発明の無線基地局装置は、複数のコンポーネントキャリアを含むシステム帯域で無線通信を行う移動端末装置に対して、ＳＲＳの送信制御情報を通知して移動端末装置のＳＲＳの送信を制御する無線基地局装置であって、各コンポーネントキャリアにおけるＳＲＳの送信について設定するＳＲＳ設定部と、ＳＲＳ設定部で決定された情報に基づいて、ＳＲＳの送信制御情報を各コンポーネントキャリアに対応する下りリンク制御情報に設定し、各コンポーネントキャリアに対応する下りリンク制御情報を特定のコンポーネントキャリアの下り制御チャネルに集約して割り当てて移動端末装置に送信するＰＤＣＣＨ設定通知部とを有し、ＰＤＣＣＨ設定通知部は、各コンポーネントキャリアに対応する下りリンク制御情報にコンポーネントキャリアの識別子情報が設定されたビットフィールドとＳＲＳの送信制御情報を設定することを特徴とする。
【００１６】
本発明の参照信号送信方法は、複数のコンポーネントキャリアを含むシステム帯域で無線通信を行う移動端末装置のＳＲＳの送信を制御する参照信号送信方法であって、ＳＲＳの送信制御情報を含み、特定のコンポーネントキャリアの下り制御チャネルに集約して割り当てられた各コンポーネントキャリアに対応する下りリンク制御情報を受信するステップと、受信した下りリンク制御情報に含まれるＳＲＳの送信制御情報に応じてＳＲＳの送信を制御するステップと、を有し、各コンポーネントキャリアに対応する下りリンク制御情報がコンポーネントキャリアの識別子情報が設定されたビットフィールドを含み、ＳＲＳの送信制御情報がビットフィールドに設定されていることを特徴とする。
【発明の効果】
【００１７】
本発明によれば、非周期ＳＲＳの送信を行う場合であっても、ＰＤＣＣＨに与える影響を抑制することができる。
【図面の簡単な説明】
【００１８】
【図１】ＬＴＥ−Ａで定められた階層型帯域幅構成の一例を示す図である。
【図２】ＬＴＥ−Ａで定められたクロスキャリアスケジューリングの一例を示す図である。
【図３】本発明の実施の形態に係る参照信号送信制御を説明するための図である。
【図４】本発明の実施の態様に係る参照信号送信制御において、ＣＩと非周期ＳＲＳの送信制御情報のジョイント符号化テーブルの一例を示す図である。
【図５】本発明の実施の形態に係る参照信号送信制御の手順を説明するための図である。
【図６】本発明の実施の形態に係る移動通信システムの構成を説明するための図である。
【図７】本発明の実施の形態に係る移動端末装置の全体構成を示すブロック図である。
【図８】本発明の実施の形態に係る移動端末装置が有するベースバンド信号処理部の機能ブロック図の一例を示す図である。
【図９】本発明の実施の形態に係る無線基地局装置の全体構成を示すブロック図である。
【図１０】本発明の実施の形態に係る無線基地局装置が有するベースバンド信号処理部の機能ブロック図の一例を示す図である。
【図１１】ＬＴＥシステムにおけるＳＲＳの送信方法について説明するための図である。
【発明を実施するための形態】
【００１９】
本発明者は、非周期ＳＲＳを適用する場合に、非周期ＳＲＳの送信制御情報の設定に伴ってＰＤＣＣＨのフォーマット変更が生じず、またＰＤＣＣＨのビット数の増加に伴う負荷を抑制する方法について検討したところ、下りリンク制御情報に設定される特定の情報にＳＲＳの送信制御情報を加えて設定（ジョイントコーディング）することを着想した。具体的には、複数のコンポーネントキャリア（ＣＣ）で広帯域化するキャリアアグリゲーションにおいて、クロスキャリアスケジューリングを行う場合に、下りリンク制御情報（ＤＣＩ：Downlink  Control  Information）にキャリア識別子（ＣＩ：Carrier  Indicator）を設定するためのビットフィールド（ＣＩＦ：Carrier  Indicator  Field）にＳＲＳの送信制御情報を設定することを見出し本願発明に至った。
【００２０】
以下に、３ＧＰＰにおいて検討が進められているＬＴＥ−Ａにおけるキャリアアグリゲーションに関して図１、図２を参照して説明する。
【００２１】
図１は、ＬＴＥ−Ａで合意されている階層型帯域幅構成を示す図である。図１に示す例は、複数のコンポーネントキャリアで構成される第１システム帯域を持つ第１移動通信システムであるＬＴＥ−Ａシステムと、１つのコンポーネントキャリアで構成される第２システム帯域を持つ第２移動通信システムであるＬＴＥシステムが併存する場合の階層型帯域幅構成である。ＬＴＥ−Ａシステムにおいては、例えば、最大１００ＭＨｚの可変のシステム帯域幅で無線通信し、ＬＴＥシステムにおいては、最大２０ＭＨｚの可変のシステム帯域幅で無線通信する。ＬＴＥ−Ａシステムのシステム帯域は、ＬＴＥシステムのシステム帯域を一単位とする少なくとも一つのコンポーネントキャリアを含み、ダイナミックに又は準静的にコンポーネントキャリア数を追加または削除する。このように、複数のコンポーネントキャリアで広帯域化することをキャリアアグリゲーションという。
【００２２】
例えば、図１においては、ＬＴＥ−Ａシステムのシステム帯域は、ＬＴＥシステムのシステム帯域（ベース帯域：２０ＭＨｚ）を一つのコンポーネントキャリアとする５つのコンポーネントキャリアの帯域を含むシステム帯域（２０ＭＨｚ×５＝１００ＭＨｚ）となっている。図１においては、移動端末装置ＵＥ＃１は、ＬＴＥ−Ａシステム対応（ＬＴＥシステムにも対応）のユーザ端末であり、１００ＭＨｚまでのシステム帯域に対応可能である。ＵＥ＃２は、ＬＴＥ−Ａシステム対応（ＬＴＥシステムにも対応）のユーザ端末であり、４０ＭＨｚ（２０ＭＨｚ×２＝４０ＭＨｚ）までのシステム帯域に対応可能である。ＵＥ＃３は、ＬＴＥシステム対応（ＬＴＥ−Ａシステムには対応せず）のユーザ端末であり、２０ＭＨｚ（ベース帯域）までのシステム帯域に対応可能である。
【００２３】
また、広帯域化されたＬＴＥ−Ａシステムのシステム帯域での無線通信において、一部のコンポーネントキャリアは他セルからの干渉が強いが、別のコンポーネントキャリアは干渉の影響が少ないといった通信環境が発生し得る。そこで、他セルからの干渉が強いコンポーネントキャリアで送られる共有データチャネル（ＰＤＳＣＨ／ＰＵＳＣＨ）に関する下りリンク制御情報の割当てを、干渉の影響の少ない別のコンポーネントキャリアから行う仕組みが検討されている。本明細書では、ＰＤＳＣＨを送るコンポーネントキャリアのＰＤＣＣＨを、そのコンポーネントキャリアとは別のコンポーンネトキャリアから送ることをクロスキャリアスケジューリング(Cross-carrier  scheduling)という。
【００２４】
また、クロスキャリアスケジューリングにおいて、下りリンク制御情報にコンポーネントキャリアを特定するキャリア識別子（ＣＩ：Carrier  Indicator）を設定するためのビットフィールド（ＣＩＦ：Carrier  Indicator  Field）を付加することが検討されている。以下に、クロスキャリアスケジューリングの一例について図２を参照して説明する。
【００２５】
図２では、ＰＤＳＣＨ−１がコンポーネントキャリアＣＣ＃１に割り当てられ、ＰＤＳＣＨ−２が異なるコンポーネントキャリアＣＣ＃２に割り当てられている。ＰＤＳＣＨ−１を復号するための制御情報等であるＰＤＣＣＨ−１はＰＤＳＣＨ−１と同じコンポーネントキャリアＣＣ＃１で送られるが（図２（Ａ）参照）、ＰＤＳＣＨ−２を復号するための制御情報等であるＰＤＣＣＨ−２がＰＤＳＣＨ−２とは異なるコンポーネントキャリア（ＣＣ＃１）で送られる（図２（Ｂ）参照）。また、ＰＤＣＣＨ−１とＰＤＣＣＨ−２には、コンポーネントキャリアの識別子情報であるＣＩが設定された３ビットのビットフィールド（ＣＩＦ）がそれぞれ含まれている。
【００２６】
本発明者は、コンポーネントキャリアの識別子情報であるＣＩが設定されたビットフィールド（ＣＩＦ）について詳細に検討を行ったところ、コンポーネントキャリアを識別するＣＩは情報量が少なくて済むため、コンポーネントキャリア数が少ない場合には、ビットフィールド領域が余った状態となり効率的に利用されていないことを見出した。例えば、２つのコンポーネントキャリアを適用する場合には、３ビットのＣＩＦにおいて、ＣＩの設定は１ビットで足りるためその他の領域は余ることとなる。本発明者は、クロスキャリアスケジューリングを行う場合にＣＩＦの余っている領域を有効に活用できるとの着想を得て、ＣＩＦにＣＩに加えてＳＲＳの送信制御情報を設定（ＣＩとＳＲＳの送信制御情報をジョイントコーディング）することを着想した。
【００２７】
以下に、複数のコンポーネントキャリアを含むシステム帯域で無線通信を行う移動端末装置において、非周期ＳＲＳの送信制御に関して具体的に説明する。なお、本実施の形態においては、ＬＴＥ−Ａに適用した例について説明するが、本発明はＬＴＥ−Ａに適用した場合に限定されるものではない。
【００２８】
本実施の形態に係る非周期ＳＲＳの送信制御は、複数のコンポーネントキャリアを含むシステム帯域で無線通信を行う移動端末装置に対して、ＳＲＳの送信制御情報が設定された各コンポーネントキャリアに対応する下りリンク制御情報を、特定のコンポーネントキャリアの下り制御チャネルに集約して割り当てて送信し、移動端末装置は受信した下りリンク制御情報に含まれるＳＲＳの送信制御情報に基づいてＳＲＳの送信を制御する。また、各コンポーネントキャリアに対応する下りリンク制御情報は、コンポーネントキャリアの識別子情報が設定されたビットフィールドを含み、当該ビットフィールドにＳＲＳの送信制御情報が設定されている。
【００２９】
つまり、本実施の形態に係る非周期ＳＲＳの送信制御は、クロスキャリアスケジューリングを適用する際に、下りリンク制御情報のＣＩＦにＣＩとＳＲＳの送信制御情報を組み合わせて設定（ジョイントコーディング）する。これにより、非周期ＳＲＳの送信に伴い新たに設定する必要があるＳＲＳの送信制御情報を、下りリンク制御情報に新しいデータ領域を設けずに、既に下りリンク制御情報に設定されたＣＩＦの領域を活用して設定することができる。その結果、非周期ＳＲＳの送信を行う場合であっても、ＰＤＣＣＨのフォーマット変更を行う必要がなく、またＰＤＣＣＨのビット数の増加を抑制してＰＤＣＣＨに与える影響を小さくすることができる。
【００３０】
図３に、コンポーネントキャリア数が２つの場合の非周期ＳＲＳの送信制御について示す。ここでは、各コンポーネントキャリアに対応するＰＤＣＣＨ−１、ＰＤＣＣＨ−２に、それぞれ３ビットのＣＩＦが定義されている場合を示している。
【００３１】
図３（Ａ）においては、ＰＤＣＣＨ−１におけるＣＩＦにＣＣ＃１の識別情報とＳＲＳの非送信指示情報がジョイントコーディングされて設定（例えば、「０００」）されている。この場合、移動端末装置はＣＣ＃１において、ＰＤＣＣＨ−１に基づいてＣＣ＃１のＰＤＳＣＨ−１を復号し、非周期ＳＲＳの送信は行わない。
【００３２】
図３（Ｂ）においては、ＣＣ＃１の制御チャネルにＣＣ＃２に対応するＰＤＣＣＨ−２が割り当てられ、当該ＰＤＣＣＨ−２におけるＣＩＦにＣＣ＃２の識別情報とＳＲＳの送信指示情報がジョイントコーディングされて設定（例えば、「０１１」）されている。この場合、移動端末装置はＣＣ＃２において、ＰＤＣＣＨ−２に基づいてＣＣ＃２のＰＤＳＣＨ−２を復号すると共に、非周期ＳＲＳの送信を行う。
【００３３】
本実施の形態に係る非周期ＳＲＳの送信制御において、ＣＩＦの設定方法はコンポーネントキャリア数に応じて適宜設定することが可能である。
【００３４】
また、上述した非周期ＳＲＳの送信制御において、移動端末装置に対して下りリンク制御情報を送信する前に、コンポーネントキャリア数に基づいて設定されたＣＩＦのフォーマット情報をＲＲＣシグナリング等により送信することが好ましい。これにより、リソースを割り当て可能なコンポーネントキャリア数に応じて、動的にＣＩＦフォーマット情報を制御することができる。
【００３５】
次に、ＣＩＦにＣＩと非周期ＳＲＳの送信制御情報とをジョイントコーディングする場合の具体例について図４を参照して説明する。図４はＣＩと非周期ＳＲＳの送信制御情報とのジョイント符号化テーブルの一例を示している。
【００３６】
図４では、３ビットのＣＩＦに対して、コンポーネントキャリア数が２〜５の場合の設定方法の一例を示している。コンポーネントキャリア数が少ない場合（ＣＣ数が２〜４の場合）には、３ビットで対応可能であるため、ＣＩＦに各コンポーネントキャリアを特定するＣＩと非周期ＳＲＳの送信制御情報を組み合わせて設定し、下りリンク制御情報を用いて移動端末装置に非周期ＳＲＳの送信制御情報を通知することができる。
【００３７】
一方で、コンポーネントキャリア数が所定の数以上（ここでは、ＣＣ数が５以上）である場合には、３ビットのＣＩＦではビット数が足りず、全てのコンポーネントキャリアに対するＣＩと非周期ＳＲＳの送信制御情報とを組み合わせて設定できないため、他の信号と組み合わせて移動端末装置に非周期ＳＲＳの送信制御情報を通知する。例えば、コンポーネントキャリア数が５である場合、図４に示すように、ＣＣ＃１〜ＣＣ＃３については、ＣＩＦにＣＩと非周期ＳＲＳの送信制御情報をジョイントコーディングし、ＣＣ＃４及びＣＣ＃５については、ＣＩＦにＣＩを設定し、非周期ＳＲＳの送信制御情報はＲＲＣシグナリングで通知する構成とすることができる。このように、他の信号と組み合わせて移動端末装置に非周期ＳＲＳの送信制御情報を通知する構成とすることにより、コンポーネントキャリア数の変化に応じて動的にＣＩＦフォーマット情報を制御し、非周期ＳＲＳの送信制御情報を適切に通知することができる。
【００３８】
なお、ＣＩＦにＣＩと非周期ＳＲＳの送信制御情報をジョイントコーディングする場合のジョイント符号化テーブルは上記図４に示した構成に限られない。図４では、コンポーネントキャリアの識別子と当該コンポーネントキャリアにおけるＳＲＳの送信制御情報をジョイントコーディングする場合を示しているが、ＣＩとＳＲＳの送信制御情報の組み合わせとして、他のコンポーネントキャリア同士のＣＩとＳＲＳの送信制御情報を組み合わせてもよい。また、本実施の形態で示すＳＲＳの送信制御において、コンポーネントキャリア数は２〜５に限られず、ＣＩＦのビット数も３ビットに限られない。
【００３９】
以下に、非周期ＳＲＳの送信制御の具体的な手順について図５を参照して説明する。
【００４０】
まず、無線基地局装置が、複数のコンポーネントキャリアを含むシステム帯域で無線通信を行う移動端末装置に対し、リソースの割り当て可能なコンポーネントキャリア数に基づいて、ＣＩＦのフォーマット情報を生成して通知する（ｓｔｅｐ１１）。ＣＩＦのフォーマット情報は上記図４で示したように、適宜設定することができる。また、移動端末装置へのＣＩＦフォーマット情報の通知は、ＲＲＣシグナリングを用いて行うことができる。
【００４１】
次に、無線基地局装置は、各コンポーネントキャリアにおけるＳＲＳの送信の可否について判定・設定した後、設定された情報に基づいて、非周期ＳＲＳの送信制御情報を各コンポーネントキャリアに対応する下りリンク制御情報に設定し、各コンポーネントキャリアに対応する下りリンク制御情報を特定のコンポーネントキャリアの下り制御チャネルに集約して割り当てて移動端末装置に送信する（ｓｔｅｐ１２）。なお、下りリンク制御情報には、コンポーネントキャリアの識別子情報であるＣＩと非周期ＳＲＳの送信制御情報がジョイントコーディングしたＣＩＦを有している。移動端末装置へのＰＤＣＣＨの通知は、ＵＬ  ｇｒａｎｔ又はＤＬ  ｇｒａｎｔを用いることができる。
【００４２】
次に、移動端末装置は、受信したＣＩＦのフォーマット情報及び下りリンク制御情報に基づいて、下りリンク制御情報のＣＩＦに含まれるＳＲＳの送信制御情報を読み出す（ｓｔｅｐ１３）。
【００４３】
ＳＲＳの送信制御情報が、ＳＲＳを送信する（トリガーする）情報である場合には、移動端末装置は、決められたタイミング・リソースにてＳＲＳを送信する（ｓｔｅｐ１４、１５）。一方で、ＳＲＳの送信制御情報が、ＳＲＳをトリガーしない情報である場合には、移動端末装置はＳＲＳを送信しない（ｓｔｅｐ１４、１６）。
【００４４】
このように、本実施の形態で示す非周期ＳＲＳの送信制御を適用することにより、非周期ＳＲＳの送信に伴い新たに設定する必要があるＳＲＳの送信制御情報を、下りリンク制御情報に設定されたＣＩＦの領域を活用して設定することができるため、ＰＤＣＣＨのフォーマット変更を行う必要がなく、またＰＤＣＣＨのビット数の増加を抑制し、ＰＤＣＣＨに与える影響を小さくすることができる。
【００４５】
以下に、上述した参照信号の送信制御を適用する移動端末装置及び無線基地局装置の構成等について説明する。ここでは、ＬＴＥ−Ａ方式のシステム（ＬＴＥ−Ａシステム）に対応する無線基地局装置及び移動端末装置を用いる場合について説明する。
【００４６】
まず、図６を参照しながら、移動端末装置１００及び無線基地局装置２００を有する移動通信システム１について説明する。図６は、本発明の一実施の形態に係る移動端末装置１００及び無線基地局装置２００を有する移動通信システム１の構成を説明するための図である。なお、図６に示す移動通信システム１は、例えば、ＬＴＥシステム又はＳＵＰＥＲ  ３Ｇが包含されるシステムである。また、この移動通信システム１は、ＩＭＴ−Ａｄｖａｎｃｅｄと呼ばれても良いし、４Ｇと呼ばれても良い。
【００４７】
図６に示すように、移動通信システム１は、無線基地局装置２００と、この無線基地局装置２００と通信する複数の移動端末装置１００（１００１、１００２、１００３、・・・１００ｎ、ｎはｎ＞０の整数）とを含んで構成されている。無線基地局装置２００は、上位局装置３０と接続され、この上位局装置３０は、コアネットワーク４０と接続される。移動端末装置１００は、セル５０において無線基地局装置２００と通信を行っている。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【００４８】
移動通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）又はクラスタ化ＤＦＴ拡散ＯＦＤＭ（Clustered  DFT-Spread  OFDM）が適用される。
【００４９】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。クラスタ化ＤＦＴ拡散ＯＦＤＭは、非連続的なクラスタ化されたサブキャリアのグループ（クラスタ）を１台の移動端末ＵＥに割り当て、各クラスタに離散フーリエ変換拡散ＯＦＤＭを適用することにより、上りリンクの多元接続を実現する方式である。
【００５０】
ここで、ＬＴＥシステムにおける通信チャネルについて説明する。下りリンクについては、各移動端末装置１００で共有されるＰＤＳＣＨと、下りＬ１／Ｌ２制御チャネル（ＰＤＣＣＨ、ＰＣＦＩＣＨ、ＰＨＩＣＨ）とが用いられる。このＰＤＳＣＨにより、ユーザデータ、すなわち、通常のデータ信号が伝送される。送信データは、このユーザデータに含まれる。なお、送信識別ビットを含むＵＬスケジューリンググラント（ＵＬ  ｇｒａｎｔ）やＤＬスケジューリンググラント（ＤＬ  ｇｒａｎｔ）は、Ｌ１／Ｌ２制御チャネル（ＰＤＣＣＨ）により移動端末装置１００に通知される。
【００５１】
上りリンクについては、各移動端末装置１００で共有して使用されるＰＵＳＣＨと、上りリンクの制御チャネルであるＰＵＣＣＨとが用いられる。このＰＵＳＣＨにより、ユーザデータが伝送される。また、ＰＵＣＣＨにより、下りリンクの無線品質情報（ＣＱＩ：Channel  Quality  Indicator）等が伝送される。
【００５２】
次に、図７を参照して、移動端末装置の機能構成について説明する。図７は、本実施の形態における移動端末装置の機能ブロック図の一例である。
【００５３】
図７に示すように、移動端末装置１００ｎは、送受信アンテナ１０２と、送受信アンテナ１０２に対応したアンプ部１０４と、送受信部１０６と、ベースバンド信号処理部１０８と、呼処理部１１０と、アプリケーション部１１２とを備えて構成されている。
【００５４】
上りリンクのデータについては、アプリケーション部１１２からベースバンド信号処理部１０８に入力される。ベースバンド信号処理部１０８では、再送制御（H-ARQ（Hybrid  ARQ））の処理、スケジューリング、伝送フォーマット選択、チャネル符号化、送信電力設定などがなされて、アンテナ毎に送受信部１０６に転送される。送受信部１０６では、ベースバンド信号処理部１０８から出力されたベースバンド信号をアンテナ毎に無線周波数信号へ周波数変換する。周波数変換された信号は、その後、アンプ部１０４で増幅されて送受信アンテナ１０２からアンテナ毎に送信される。
【００５５】
下りリンクのデータについては、送受信アンテナ１０２で受信した無線周波数信号がアンプ部１０４において、ＡＧＣ（Auto  Gain  Control）の下で受信電力が一定電力に補正されるように増幅される。増幅された無線周波数信号は、送受信部１０６においてベースバンド信号へ周波数変換される。このベースバンド信号は、ベースバンド信号処理部１０８で所定の処理（誤り訂正、複合など）がなされた後、呼処理部１１０及びアプリケーション部１１２に転送される。呼処理部１１０は、無線基地局装置との通信の管理等を行い、アプリケーション部１１２は、物理レイヤやＭＡＣレイヤより上位のレイヤに関する処理等を行う。
【００５６】
次に、図８を参照して、上記図７に示した移動端末装置のベースバンド処理部の機能構成について説明する。
【００５７】
ベースバンド信号処理部１０８は、レイヤ１処理部１０８１と、ＭＡＣ処理部１０８２と、ＲＬＣ処理部１０８３と、フォーマット通知信号受信部１０８４と、ＰＤＣＣＨ受信部１０８５と、ＳＲＳ送信設定部１０８６とを有している。
【００５８】
レイヤ１処理部１０８１は、主に物理レイヤに関する処理をする。レイヤ１処理部１０８１では、例えば、下りリンクで受信した信号に対して、チャネル復号化、離散フーリエ変換（ＤＦＴ）周波数デマッピング、逆フーリエ変換（ＩＦＦＴ）、データ復調等の処理が行われる。また、上りリンクで送信する信号に対して、チャネル符号化、データ変調、周波数マッピング、逆フーリエ変換（ＩＦＦＴ）等の処理を行う。
【００５９】
ＭＡＣ処理部１０８２は、下りリンクで受信した信号に対するＭＡＣレイヤでの再送制御（ＨＡＲＱ）、下りリンクに対するスケジューリング情報の解析（ＰＤＳＣＨの伝送フォーマットの特定、ＰＤＳＣＨのリソースブロックの特定）等を行う。また、ＭＡＣ処理部１０８２は、上りリンクで送信する信号に対するＭＡＣ再送制御、上りスケジューリング情報の解析（ＰＵＳＣＨの伝送フォーマットの特定、ＰＵＳＣＨのリソースブロックの特定等の処理）等を行う。
【００６０】
ＲＬＣ処理部１０８３は、上りリンクで受信したパケット、およびアプリケーション部１１２から受け取る下りリンクで送信するパケットに対して、パケットの分割、パケットの結合、ＲＬＣレイヤでの再送制御等をする。
【００６１】
フォーマット通知信号受信部１０８４は、無線基地局装置から通知されるＣＩＦのフォーマット情報を受信する。フォーマット情報は、ＲＲＣシグナリングで受信することができる。具体的には、移動端末装置と無線基地局装置に上記図４に示したジョイント符号化テーブルを設け、リソースを割り当て可能なコンポーネントキャリア数に基づいて適用するＣＩＦフォーマットを通知する。また、コンポーネントキャリア数が所定の数以上（例えば、図４におけるＣＣ数が５以上）である場合には、移動端末装置はＣＩＦのフォーマット情報に加えて、ＣＣ＃４、ＣＣ＃５に関する非周期ＳＲＳの送信制御情報をＲＲＣシグナリングで受信する。
【００６２】
ＰＤＣＣＨ受信部１０８５は、特定のコンポーネントキャリアの下り制御チャネルに集約して割り当てられた各コンポーネントキャリアに対応する下りリンク制御情報を受信し、フォーマット通知信号受信部１０８４で受信したフォーマット情報に基づいて、ＣＩＦに含まれるＳＲＳの送信制御情報を読み出す。例えば、コンポーネントキャリア数が２つの場合（ＣＣ＃１及びＣＣ＃２）、ＣＣ＃１とＣＣ＃２のＰＤＣＣＨには、それぞれＣＩと非周期ＳＲＳの送信制御情報がジョイントコーディングされたＣＩＦが含まれており、ＣＣ＃１とＣＣ＃２のＰＤＣＣＨのＣＩＦからＣＣ＃１とＣＣ＃２のＳＲＳの送信制御情報を読み出す。
【００６３】
ＳＲＳ送信設定部１０８６は、ＰＤＣＣＨ受信部１０８５が受信した下りリンク制御情報のＣＩＦに設定されたＳＲＳの送信制御情報に基づいて、ＳＲＳの送信を制御する。例えば、ＣＩＦにＣＣ＃１の識別子とＳＲＳの送信指示情報が設定されている場合には、ＣＣ＃１において決められたタイミング、リソースで非周期ＳＲＳを無線基地局装置に対して送信する。一方で、ＣＩＦにＳＲＳの非送信指示情報が設定されている場合にはＳＲＳの送信を行わない。
【００６４】
次に、図９を参照して、無線基地局装置の機能構成について説明する。図９は、無線基地局装置の機能ブロック図の一例である。
【００６５】
図９に示すように、無線基地局装置２００は、送受信アンテナ２０２と、アンプ部２０４と、送受信部２０６と、ベースバンド信号処理部２０８と、呼処理部２１０と、伝送路インターフェース２１２とを備えて構成されている。送受信アンテナ２０２は複数有していてもよい。
【００６６】
上りリンクのデータについては、送受信アンテナ２０２で受信した無線周波数信号がアンプ部２０４において、ＡＧＣの下で受信電力が一定電力に補正されるように増幅される。増幅された無線周波数信号は、送受信部２０６においてベースバンド信号へ周波数変換される。このベースバンド信号は、ベースバンド信号処理部２０８で所定の処理（誤り訂正、複合など）がなされた後、伝送路インターフェース２１２を介して図示しないアクセスゲートウェイ装置に転送される。アクセスゲートウェイ装置は、コアネットワークに接続されており、各移動端末を管理している。
【００６７】
下りリンクのデータについては、上位装置から伝送路インターフェース２１２を介してベースバンド信号処理部２０８に入力される。ベースバンド信号処理部２０８では、再送制御（H-ARQ（Hybrid  ARQ））の処理、スケジューリング、伝送フォーマット選択、チャネル符号化等がなされて送受信部２０６に転送される。送受信部２０６では、ベースバンド信号処理部２０８から出力されたベースバンド信号を無線周波数信号へ周波数変換する。周波数変換された信号は、その後、アンプ部２０４で増幅されて送受信アンテナ２０２から送信される。
【００６８】
呼処理部２１０は、上位装置の無線制御局との間で呼処理制御信号を送受信し、無線基地局装置２００の状態管理やリソース割り当てをする。なお、レイヤ１処理部２０８１とＭＡＣ処理部２０８２における処理は、呼処理部２１０において設定されている、無線基地局装置２００と移動端末装置１００ｎとの間の通信状態に基づいてなされる。
【００６９】
次に、図１０を参照して、ベースバンド処理部の機能構成について説明する。図１０は、無線基地局装置のベースバンド信号処理部の機能ブロック図である。
【００７０】
図１０に示すように、ベースバンド信号処理部２０８は、レイヤ１処理部２０８１と、ＭＡＣ（Medium  Access  Control）処理部２０８２と、ＲＬＣ処理部２０８３と、フォーマット設定部２０８４と、ＳＲＳ設定部２０８５と、ＰＤＣＣＨ設定通知部２０８６とを有している。
【００７１】
レイヤ１処理部２０８１は、主に物理レイヤに関する処理を行う。レイヤ１処理部２０８１では、例えば、上りリンクで受信した信号に対して、チャネル復号化、離散フーリエ変換（ＤＦＴ）、周波数デマッピング、逆フーリエ変換（ＩＦＦＴ）、データ復調等の処理が行われる。また、下りリンクで送信する信号に対して、チャネル符号化、データ変調、周波数マッピング、逆フーリエ変換（IFFT）等の処理を行う。
【００７２】
ＭＡＣ処理部２０８２は、上りリンクで受信した信号に対するＭＡＣレイヤでの再送制御（HARQ）、上り／下りリンクに対するスケジューリング、ＰＵＳＣＨ／ＰＤＳＣＨの伝送フォーマットの選択、ＰＵＳＣＨ／ＰＤＳＣＨのリソースブロックの選択等の処理を行う。
【００７３】
ＲＬＣ処理部２０８３は、上りリンクで受信したパケット／下りリンクで送信するパケットに対して、パケットの分割、パケットの結合、ＲＬＣレイヤでの再送制御等を行う。
【００７４】
フォーマット設定部２０８４は、リソースを割り当て可能なコンポーネントキャリア数に基づいて、下りリンク制御情報に含まれるＣＩＦのフォーマット情報を生成し、移動端末装置に通知する。移動端末装置への通知は、ＲＲＣシグナリングを用いて行うことができる。
【００７５】
ＳＲＳ設定部２０８５は、各コンポーネントキャリアにおける非周期ＳＲＳの送信有無について判定及び設定する。コンポーネントキャリア数が所定の数以上（例えば、上記図４におけるＣＣ数が５以上）であり、一部のコンポーネントキャリア（図４におけるＣＣ＃４、ＣＣ＃５）の非周期ＳＲＳの送信制御情報をＲＲＣシグナリングで通知する場合には、ＳＲＳ設定部２０８５で設定したＣＣ＃４、ＣＣ＃５のＳＲＳの送信制御情報をＲＲＣシグナリングで通知する。
【００７６】
ＰＤＣＣＨ設定通知部２０８６は、ＳＲＳ設定部２０８５で設定された情報に基づいて、ＳＲＳの送信制御情報を各コンポーネントキャリアに対応する下りリンク制御情報に設定し、各コンポーネントキャリアに対応する下りリンク制御情報を特定のコンポーネントキャリアの下り制御チャネルに集約して割り当てて移動端末装置に送信する。例えば、コンポーネントキャリア数が２つの場合（ＣＣ＃１及びＣＣ＃２）に、ＳＲＳ設定部２０８５において、ＣＣ＃１は非周期ＳＲＳを非送信とし、ＣＣ＃２は非周期ＳＲＳを送信すると設定された際には、ＰＤＣＣＨ設定通知部２０８６は、ＣＣ＃１、ＣＣ＃２のＣＩＦにそれぞれＣＩとＳＲＳの送信制御情報をジョイントコーディングし（図４において、ＣＣ＃１は「０００」、ＣＣ＃２は「０１１」）、ＣＣ＃１の制御チャネルにＣＣ＃１に対応するＰＤＣＣＨ−１とＣＣ＃２に対応するＰＤＣＣＨ−２を割り当てて移動端末装置に通知する。
【００７７】
以下に、移動端末装置及び無線基地局装置における非周期ＳＲＳの送信制御について具体的に説明する。
【００７８】
まず、無線基地局装置がフォーマット設定部２０８４において、リソースを割り当て可能なコンポーネントキャリア数に基づいて、下りリンク制御情報のＣＩＦのフォーマット情報を生成し、移動端末装置にＲＲＣシグナリングを用いて通知する。以下の説明では、一例として、コンポーネントキャリア数が３つの場合（ＣＣ＃１〜ＣＣ＃３）に上記図４に示したジョイント符号化テーブルを用いる場合について説明する。
【００７９】
移動端末装置はフォーマット通知信号受信部１０８４において、無線基地局装置から通知されるＣＩＦのフォーマット情報を受信する。ここでは、コンポーネントキャリア数が３つの場合に適用するフォーマット情報が通知される。
【００８０】
次に、無線基地局装置はＳＲＳ設定部２０８５において、各コンポーネントキャリアにおける非周期ＳＲＳの送信有無について判定及び設定する。ここでは、ＣＣ＃１及びＣＣ＃２は非周期ＳＲＳを送信とし、ＣＣ＃３は非周期ＳＲＳを非送信すると設定する。
【００８１】
次に、無線基地局装置はＰＤＣＣＨ設定通知部２０８６において、ＳＲＳ設定部２０８５で設定された情報に基づいて、ＳＲＳの送信制御情報をＣＣ＃１〜ＣＣ＃３に対応する下りリンク制御情報にそれぞれ設定し、ＣＣ＃１〜ＣＣ＃３に対応する下りリンク制御情報を特定のコンポーネントキャリア（ここでは、ＣＣ＃１）の下り制御チャネルに集約して割り当てて移動端末装置に送信する。図４に示したジョイント符号化テーブルを用いる場合には、ＣＣ＃１のＣＩＦを「００１」、ＣＣ＃２のＣＩＦを「０１１」、ＣＣ＃３のＣＩＦを「１００」と設定して、ＣＣ＃１の制御チャネルにＣＣ＃１に対応するＰＤＣＣＨ−１、ＣＣ＃２に対応するＰＤＣＣＨ−２、ＣＣ＃３に対応するＰＤＣＣＨ−３を割り当てて移動端末装置に通知する。
【００８２】
移動端末装置はＰＤＣＣＨ受信部１０８５において、ＣＣ＃１の下り制御チャネルに集約して割り当てられたＣＣ＃１〜ＣＣ＃３に対応する下りリンク制御情報（ＰＤＣＣＨ−１〜ＰＤＣＣＨ−３）を受信し、フォーマット通知信号受信部１０８４で受信したフォーマット情報に基づいて、ＣＣ＃１〜ＣＣ＃３のＣＩＦからＳＲＳの送信制御情報を読み出す。
【００８３】
次に、移動端末装置はＳＲＳ送信設定部１０８６において、ＰＤＣＣＨ受信部１０８５が受信した送信制御情報に基づいて、ＳＲＳの送信を制御する。ここでは、ＣＣ＃１及びＣＣ＃２において非周期ＳＲＳを送信し、ＣＣ＃３において非周期ＳＲＳを送信しない。
【００８４】
このように、本実施の形態に係る非周期ＳＲＳの送信制御方法によれば、コンポーネントキャリアの識別子情報とＳＲＳの送信制御情報をジョイントコーディングして、ＣＩＦの領域を有効に活用する構成であるため、ＰＤＣＣＨのフォーマット変更を行う必要がなく、またＰＤＣＣＨのビット数の増加を抑制し、ＰＤＣＣＨに与える影響を小さくすることができる。
【００８５】
なお、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【符号の説明】
【００８６】
１００  移動端末装置
１０２  送受信アンテナ
１０４  アンプ部
１０６  送受信部
１０８  ベースバンド信号処理部
１１０  呼処理部
１１２  アプリケーション部
１０８１  レイヤ１処理部
１０８２  ＭＡＣ処理部
１０８３  ＲＬＣ処理部
１０８４  フォーマット通知信号受信部
１０８５  ＰＤＣＣＨ受信部
１０８６  ＳＲＳ送信設定部
２００  無線基地局装置
２０２  送受信アンテナ
２０４  アンプ部
２０６  送受信部
２０８  ベースバンド信号処理部
２１０  呼処理部
２１２  伝送路インターフェース
２０８１  レイヤ１処理部
２０８２  ＭＡＣ処理部
２０８３  ＲＬＣ処理部
２０８４  フォーマット設定部
２０８５  ＳＲＳ設定部
２０８６  ＰＤＣＣＨ設定通知部
【図１】
0005325841.tif 000002
【図２】
0005325841.tif 000003
【図３】
0005325841.tif 000004
【図４】
0005325841.tif 000005
【図５】
0005325841.tif 000006
【図６】
0005325841.tif 000007
【図７】
0005325841.tif 000008
【図８】
0005325841.tif 000009
【図９】
0005325841.tif 000010
【図１０】
0005325841.tif 000011
【図１１】
0005325841.tif 000012